(57)【要約】      （修正有）【課題】釣り竿を二股の間に入れやすく、入れた釣り竿が二股から簡単に外れないことを可能とする釣り竿掛け具、釣り竿掛け具用二股受け口および二股受け口用キャップを提供する。【解決手段】基部１１の上部において、釣り竿３０を掛けるための二股受け口２０を備えた釣り竿掛け具１０の場合、二股受け口２０をなす一方のガイド部２１ｂの長手方向寸法が、他方のガイド部２１ａの長手方向寸法よりも長く形成する。釣り竿掛け具１０に対して着脱自在である二股受け口２０を提供しても良い。二股受け口２０に対して着脱自在のキャップ部材としてもよい。【選択図】図１
0003191128.tif 000002
【実用新案登録請求の範囲】
【請求項１】
基部の上部に釣り竿を掛けるための二股受け口を備えた釣り竿掛け具であって、
前記の二股受け口をなす一方のガイド部は、その長手方向寸法を他方のガイド部の長手方向寸法よりも長く形成した釣り竿掛け具。
【請求項２】
長手方向寸法が長い方のガイド部には、その先端付近に他方のガイド部側へ突出する突起部を備えた請求項１に記載の釣り竿掛け具。
【請求項３】
基部の上部に釣り竿を掛けるための釣り竿掛け具に対して、前記の基部の上端へ着脱自在に形成した二股受け口であって、
前記の二股受け口をなす一方のガイド部は、その長手方向寸法を他方のガイド部の長手方向寸法よりも長く形成した釣り竿掛け具用二股受け口。
【請求項４】
長手方向寸法が長い方のガイド部には、その先端付近に他方のガイド部側へ突出する突起部を備えた請求項３に記載の釣り竿掛け具用二股受け口。
【請求項５】
基部の上部に釣り竿を掛けるための二股受け口を備えた釣り竿掛け具に対して、前記の二股受け口へ着脱自在に形成した二股受け口用キャップであって、
その二股受け口用キャップを装着した場合に二股受け口をなす一方のガイド部が、その長手方向寸法を他方のガイド部の長手方向寸法よりも長くなるように形成した二股受け口用キャップ。
【請求項６】
長手方向寸法が長い方のガイド部には、その先端付近に他方のガイド部側へ突出する突起部を備えた請求項５に記載の二股受け口用キャップ。
【考案の詳細な説明】
【技術分野】
【０００１】
本考案は、釣り竿を立て掛けるのに用いる釣り竿掛け具に関する。
【背景技術】
【０００２】
釣り人は、釣り竿を手にしている時間帯としては、たとえば、釣りをしている時間帯、釣り竿へリールや仕掛け装着するといった釣りの前の時間帯、釣り上げた魚から釣り針を外したりする時間帯、などがある。
一方、釣り竿を手から離さなければならない場面、あるいは離したい場面もある。たとえば、釣り場を離れなければならない場面、釣り竿を手にしていてはできない作業をしたい場面などである。
後者の場合、釣り竿を立て掛けて保持できれば、繊細な釣り竿の先端へ何かが振れるおそれが小さいだけでなく、再び釣り竿を手にする際にも便利である。
【０００３】
従来、釣り竿掛け具としては、様々な形状の基台や棒状のスタンドの上先端に二股の受け口を備えているものがある。
前記のスタンドは、地面に突き刺したり、クーラボックスに装着して立てたりして使用する。
【０００４】
特許文献１には、釣り竿掛け具の一例として、釣り竿掛けの受け口が開示されている。すなわち、前記の受け口は、上方に向かって二股に開いて対向して立設された２つのガイドを備えている。そして、前記の２つのガイドの下方に連続してＣ字形の穴溝を形成している。前記の穴溝内に載置された釣り竿が自身の先端方向へ牽引された場合、竿もと方向の太い部分が前記の穴溝によって牽引が阻止できる、という効果がある。
【先行技術文献】
【特許文献】
【０００５】
【特許文献１】特開平８−２８０３１１号公報
【考案の概要】
【考案が解決しようとする課題】
【０００６】
釣り人が釣り竿を二股の間に入れる時、釣り竿の先端付近を二股の間へ一発で入れるのは、慎重に行わなければならない。何気なくその動作をしてしまう釣り人にとって、不便さを感じる場面は多くないかもしれない。しかし、釣り竿を二股の間に入れて立て掛ける動作は、前述したように頻繁に繰り返される。気付かないうちに小さなストレスを感じていると考えられる。
【０００７】
また、釣り竿は、ほぼ中間を釣り竿掛け具の二股の受け口に掛け、竿もとを地面につけて立て掛ける。この場合、二股の受け口は単に釣り竿を受けるだけなので、例えば強い風などを受けると、釣り竿が風にあおられて二股から外れそうになる。それに伴って、竿もとが地面を滑って後方へずれてしまうことがある。
【０００８】
本考案が解決しようとする課題は、釣り竿を二股の間に入れやすく、収めた釣り竿は二股から簡単に外れにくくすることを可能とする釣り竿掛け具を提供することにある。
【課題を解決するための手段】
【０００９】
（第一の考案）
第一の考案は、  基部(11)の上部において、釣り竿(30)を掛けるための二股受け口(20)を備えた釣り竿掛け具(10)に係る。
前記の二股受け口(20)をなす一方のガイド部(21b)の長手方向寸法が、他方のガイド部(21a)の長手方向寸法よりも長く形成する。
【００１０】
（用語説明）
「基部」とは、二股の受け口(20)を固定するための部材をいう。例えば、地面やクーラボックスなどの場所あるいは用具へ設置するためのスタンドや基台などの部材をいう。
【００１１】
（作用）
釣り人が釣り竿(30)を竿掛け具(10)の二股の間に入れる時、釣り竿(30)を、二股をなす他方のガイド部(21a)より突出した一方のガイド部(21b)へ軽く当ててから、スムーズに二股の間に入れることができる。従来のように、二股の間に入れるために釣り竿(30)をゆっくり移動させなくてもよいので、スピーディに行うことができる。ストレスを軽減することに寄与する。
【００１２】
（第二の考案）
第二の考案は、基部(11)の上部に、釣り竿(30)を掛けるための釣り竿掛け具(10)へ着脱自在とした二股受け口(20)に係る。
前記の二股受け口(20)をなす一方のガイド部(21b)の長手方向寸法が、他方のガイド部(21a)の長手方向寸法よりも長く形成する。
【００１３】
（作用）
これまでの竿掛け具(10)から二股受けの部位を取り外し、本願に係る二股受け口(20)に取り替えることができれば、第一の考案と同様の作用を奏する。
【００１４】
（第三の考案）
第三の考案は、基部(11)の上部に釣り竿(30)を掛けるための二股受け口(20)を備えた釣り竿掛け具(10)に対して、前記の二股受け口(20)へ着脱自在に形成した二股受け口用キャップ(補助部材24,25)に係る。
その二股受け口用キャップ(24,25)を装着した場合に二股受け口をなす一方のガイド部が、その長手方向寸法を他方のガイド部の長手方向寸法よりも長くなるように形成する。
【００１５】
（作用）
二股受け口用キャップ(補助部材24,25)は、二股受け口(20)へ簡単に取り付けることができるので、これまでの釣り竿掛け具(10)を改良して用いることができる。
【００１６】
（各考案のバリエーション）
第一の考案、第二の考案および第三の考案は、長手方向寸法が長い方のガイド部に、その先端付近に他方のガイド部側へ突出する突起部を備えると、より好ましい。
【００１７】
（作用）
例えば、釣り竿(30)が風にあおられて跳ね上がって二股部分から外れそうになっても、突起部(26)によって抑えられる。
【考案の効果】
【００１８】
本願の各考案によれば、釣り竿を二股の間に入れやすく、収めた釣り竿は二股から簡単に外れにくくすることを可能とする釣り竿掛け具を提供することができた。
【図面の簡単な説明】
【００１９】
【図１】本考案に係る実施形態の釣り竿掛け具に、釣り竿を立て掛けた状態を示す斜視図である。
【図２】本考案に係る実施形態の釣り竿掛け具における二股の受け口を示し、（ａ）は、組立前の状態を示す説明図である。（ｂ）は、組立てた状態を示す説明図である。
【図３】（ａ）は、釣り竿を掛ける前の動作を示す説明図である。（ｂ）は、釣り竿を掛けた後の動作を示す説明図である。
【図４】（ａ）は、他の実施形態の釣り竿掛け具の斜視図である。（ｂ）は、補助部材の側面図である。
【図５】（ａ）は、釣り竿掛け具における釣り竿の動作を示す平面図である。（ｂ）は、釣り竿の動作を示す側面図である。
【図６】他の実施形態の釣り竿掛け具の斜視図である。
【図７】他の実施形態の釣り竿掛け具の斜視図である。
【考案を実施するための形態】
【００２０】
以下、本考案の実施形態について図面を参照して説明する。ここで使用するのは、図１から図７である。
【００２１】
（図１から図３）
本実施形態に係る釣り竿掛け具１０は、図１および図２に示すように、スタンド１１ａや基台などの基部１１の上部に、釣り竿３０を掛けるための二股の受け口２０を備えている。基本的に、前記二股をなす一方のガイド部２１ｂが、前記二股をなす他方のガイド部２１ａより突出したことを特徴とする。
本実施形態では、「基部」とは、二股の受け口２０を取り付けるための部材をいう。例えば、地面やクーラボックスなどの場所あるいは用具へ設置するためのスタンド１１ａや基台などの部材をいう。
【００２２】
図１では、釣り竿掛け具１０は、基部１１となるスタンド１１ａをクーラボックス４０に備えたスタンド装着部４１に差しこんで立てている。前記スタンド１１ａの上部に二股受け口２０を備えている。釣り竿３０を前記二股の受け口２０に掛け、竿もと３１を地面につけて立て掛けた状態である。
【００２３】
二股受け口２０は、図２（ａ）および図２（ｂ）に示すように、第一ガイド部２２と、第二ガイド部２３に補助部材２４を着脱可能に取り付けて前記第一ガイド部２２より突出した構成部材（この構成部材は前記ガイド部２１ｂとなる）と、で構成している。従来の二股受け口は、第一ガイド部２２と第二ガイド部２３がほぼ同じ高さであるが、本実施形態では、補助部材２４を第二ガイド部２３に取り付けることで、受け口２０の二股をなす一方のガイド部２１ｂが、前記二股をなす他方のガイド部２１ａより突出する。
上記の補助部材２４は、図２（ｂ）に示すように、第二ガイド部２３を挿入可能な差し込み用穴部２４ａを備えたキャップ形状とすることができる。しかし、補助部材２４を第二ガイド部２３に取り付ける構造は、前記のキャップ形状に限定されない。
【００２４】
次に、本実施形態の釣り竿掛け具１０の作用について説明する。
釣り人が釣り竿３０を竿掛け具１０の二股の間に入れる時、図３（ａ）に示すように、釣り竿３０を、第二ガイド部２３に取り付けた補助部材２４へ軽く当ててから下方へ移動させることによって、スムーズに第一ガイド部２２と第二ガイド部２３との二股の間に入れることができる。図３（ｂ）の二点鎖線で示すように、釣り竿３０が二股の間隔に対して若干横方向にぶれたとしても、二股の間に入れることができる。その後すぐに、図３（ｂ）の実線で示すように釣り竿３０の長手方向の傾きを位置修正することができる。
従来のように、二股の間に入れるために釣り竿３０をゆっくり移動させなくても外れないので、比較的スピーディに上記の動作を頻繁に繰り返すことができる。しかも、従来に生じていたかもしれない無意識のストレスを軽減することに寄与する。
補助部材２４は、第二ガイド部２３へ挿入する部材であるから、第二ガイド部２３よりも幅が広くなっており、高さ方向の寸法が増えていることと相まって、立て掛けた釣り竿３０が外れにくくなる。
【００２５】
（図４および図５）
前述した補助部材２４は、第二ガイド部２３に取り付けるのであるが、図４（ａ）および図４（ｂ）に示すように、補助部材２４の高さ方向の寸法を増やし、且つ増やした高さ方向の寸法部分において幅方向の寸法をも増やしている。そして、その増えた幅方向寸法の部位に、前記二股をなす他方のガイド部２１ａの側、つまり第一ガイド部２２の側に向けて突出した突起部２６を備えることとしてもよい。
【００２６】
この突起部２６を備えている場合、以下のような作用をなす。
釣り人は、上述のように釣り竿３０を補助部材２４に軽く当ててから二股の間に入れる。このとき、補助部材２４の内側面の面積が増やされているので、より入れやすくなっている。
また、入れた後に、図５（ａ）に示すように、釣り竿３０が突起部２６の下方に位置するように位置修正しておくことができる。
これによって、釣り竿３０の跳ね上がりなどを、内側面の面積の増えた補助部材２４および突起部２６によって抑えることができる。例えば、強い風などを受けると、図５（ｂ）に示すように、釣り竿３０がなす角度が大きくなり、二股から外れそうになる。しかし、跳ね上がった釣り竿３０は、突起部２６に当たって再び戻るので抑えられることになる。
【００２７】
（図６）
図６に示す実施形態の釣り竿掛け具１０ａは、第一ガイド部２２と第二ガイド部２３とでなる二股に、二股形状の第二補助部材２５を着脱可能に取り付けることとしている。しかも、前記第二補助部材２５の二股形状をなす一方のガイド部２５ｂが、前記第二補助部材２５の二股形状をなす他方のガイド部２５ａより突出した構成である。
【００２８】
既存の釣り竿掛け具における二股に対して着脱可能な二股形状の第二補助部材２５を備えることは、本考案の釣り竿掛け具１０ａの適用範囲を広げることになる。すなわち、前記第二補助部材２５を前記の既存の釣り竿掛け具の二股に取り付けることができる。
上記の第二補助部材２５を取り付けた釣り竿掛け具１０ａは、前述の実施形態の釣り竿掛け具１０の場合と同様の作用であるので、詳しい説明は省略する。
【００２９】
（図７）
図７に示す実施形態の釣り竿掛け具１０ｂは、前述の実施形態の釣り竿掛け具１０または釣り竿掛け具１０ａにおける二股の受け口２０を、基部１１の上部に、例えばネジ部１２などで着脱可能とすることができる。
従来の釣り竿掛け具１０における基部１１の上部にネジ部１２を形成できれば、着脱自在とした二股受け口２０を付け替えるだけで、受け口２０の二股をなす一方のガイド部２１ｂが、前記二股をなす他方のガイド部２１ａより突出した構成とする新たな釣り竿掛け具１０ｂとすることができる。
【産業上の利用可能性】
【００３０】
本考案は、釣り具の製造業、販売業またはレンタル業、アウトドアスポーツのインストラクター事業などにおいて、利用可能性を有する。
【符号の説明】
【００３１】
１０；  釣り竿掛け具
１１；  基部                          １１ａ；スタンド
２０；  二股受け口
２１ａ；ガイド部                      ２１ｂ；ガイド部
２２；  第一ガイド部                  ２３；  第二ガイド部
２４；  補助部材                      ２４ａ；差し込み用穴部
２５；  第二補助部材
２５ａ；ガイド部                      ２５ｂ；ガイド部
２６；  突起部
３０；  釣り竿                        ３１；  竿もと
４０；  クーラボックス                ４１；  スタンド装着部
【図１】
0003191128.tif 000003
【図２】
0003191128.tif 000004
【図３】
0003191128.tif 000005
【図４】
0003191128.tif 000006
【図５】
0003191128.tif 000007
【図６】
0003191128.tif 000008
【図７】
0003191128.tif 000009